(57)【特許請求の範囲】
【請求項１】
プログラムが記録されるプログラム領域と、上記プログラム領域に記録されているプログラムについての管理情報が記録される管理領域とを有する記録媒体に、供給されたデータをプログラムとして記録する記録装置において、
記録されるプログラムに関連する文字情報を入力することができる文字入力手段と、
記録のために供給されるプログラムが次のプログラムに変化することを検知することができる検知手段と、
上記検知手段にて次のプログラムへの変化が検知された時点で、上記文字入力手段での文字情報の入力が終了したか否かを判別する判別手段と、
上記判別手段にて文字情報の入力が終了していないと判別されたときは、記録動作を待機状態に制御するとともに上記次のプログラムの供給を待機状態にせしめる命令を発生させる制御手段と、
を備えていることを特徴とする記録装置。
【請求項２】
上記文字入力手段は文字入力決定キーを含み、上記制御手段は、上記文字入力決定キーの操作に応じて、記録動作の待機状態の解除及び次のプログラムの供給の待機状態の解除を行うことを特徴とする請求項１に記載の記録装置。
【請求項３】
再生部と記録部からなり、該記録部は、プログラムが記録されるプログラム領域と上記プログラム領域に記録されているプログラムについての管理情報が記録される管理領域とを有する記録媒体に対して再生部から供給されるプログラムを記録する記録システムにおいて、
記録されるプログラムに関連する文字情報を入力することができる文字入力手段と、
上記再生部から供給されるプログラムの変化を検知する検知手段と、
上記検知手段にてプログラム変化が検知された時点で、上記文字入力手段での文字情報の入力が終了したか否かを判別する判別手段と、
上記判別手段にて文字情報の入力が終了していないと判別されたときは、記録動作を待機状態に制御するとともに、上記再生部からの次のプログラムの供給を待機状態にせしめる命令を発生させる制御手段と、
を備えていることを特徴とする記録システム。
【請求項４】
再生装置から伝送されるプログラムの変化を検知する検知工程と、
上記検知工程にて再生装置から伝送されるプログラムの変化を検知した際に、プログラムに対応する文字入力が終了済みか否かを判別する第１の判別工程と、
上記第１の判別工程にてプログラムに対応する文字入力が終了していないと判別された場合には再生装置からの次に続くプログラムの伝送を待機状態に制御するとともに、記録動作を待機させる制御を行う制御工程と、
上記再生装置からの次に続くプログラムの伝送が待機状態とされ、また記録動作が待機状態とされている際に、文字入力が終了したか否かを判別する第２の判別工程と、
上記第２の判別工程にて文字入力が終了したと判別された場合、上記再生装置からの次に続くプログラムの伝送の待機状態及び記録動作の待機状態を伴に解除する解除工程とを備えてなることを特徴とするダビング方法。
【発明の詳細な説明】
【０００１】
【発明の属する技術分野】
本発明は、例えば光磁気ディスクにオーデイオデータ等の主情報を記録する際に付随情報として文字情報を記録する記録装置及び記録システムに関する。
【０００２】
【従来の技術】
従来、ミニディスクを代表とする光磁気ディスクにオーデイオデータを記録及び再生する記録再生装置が知られている。
このような光磁気ディスクには、オーデイオデータが記録されるプログラム領域と、このプログラム領域に記録された各プログラムを管理する目録情報（Ｕ−ＴＯＣ：所謂user table of contents）が記録される管理領域が設けられている。
この目録情報（Ｕ−ＴＯＣ）としてのデータ領域は複数のセクターを有しており、Ｕ−ＴＯＣセクター０ではプログラム領域に記録されている各プログラムの起点アドレス、終点アドレス、コピープロテクト情報、エンファシス情報等が管理されている。なお、本明細書でいう「プログラム」とは、ディスク上に１つの単位として記録されるデータ群を指し、例えば１つの楽曲（一般に１つのトラックといわれるもの）などが相当する。例えばプログラムの起点アドレス、終点アドレスとは、楽曲の先頭位置と終端位置に相当するアドレスとなる。
【０００３】
また、Ｕ−ＴＯＣセクター１ではプログラム領域に記録されている各プログラムのタイトル、光磁気ディスク全体のタイトルが管理されている。
光磁気ディスク全体のタイトルとは、記録されるプログラムがオーデイオデータの場合はアルバムタイトル、演奏者名等の情報になり、各プログラムのタイトルとは曲名に相当する。
更にＵ−ＴＯＣセクター２ではプログラム領域に記録されている各プログラム毎の記録日時が管理されている。
また、Ｕ−ＴＯＣセクター４に関してはプログラム領域に記録されている各プログラムのタイトル、光磁気ディスク全体のタイトルのフォントとしてカタカナ、漢字が使用できるように管理されている。
【０００４】
【発明が解決しようとする課題】
ところで、上記記録装置において記録する各プログラム毎の文字情報（タイトル等）の入力は遠隔操作部（リモートコントローラ）に設けられたアルファベットキーの操作や、記録装置本体に設けられた操作キー、ダイヤル等を用いて行なわれる。
そして例えばユーザは、プログラムとしてのオーデイオ情報がダビング記録されている間に、上記遠隔操作部（リモートコントローラ）に設けられたアルファベットキーの操作等を行い、そのプログラムに対応する文字入力を行なっていく。
この文字入力の際にプログラムのタイトル文字数が多い場合や、ユーザの入力作業が手間どってしまった場合、更にタイトルを登録するプログラムの演奏時間が短い場合などには、対応するプログラムの演奏が終了してしまいダビング動作が次のプログラムに移行してしまうことがある。
【０００５】
文字入力動作に関しては、入力された文字情報は、そのとき記録、再生、一時停止などの形態でユーザーが指定したプログラムに対応するものとしてＵ−ＴＯＣデータとして登録されるため、記録中には文字入力を行うことで、その入力文字は、そのときの記録動作にかかるプログラムに対応するものとされるが、上記のように文字入力を行っている間に次のプログラムに進んでしまった場合は、そのプログラムの移行に伴い、文字入力状態が中途段階でメモリ（Ｕ−ＴＯＣ更新のためのメモリ）への登録が行われてしまうという問題点が存在する。
ダビングなどの記録動作中は、そのダビング処理を止めると、再生プログラムの選択や設定、再生操作、録音位置設定、録音操作等の各種操作をやり直さなければならず、また例えばプログラムの切れ目（曲と曲の間）が明確でないような場合は、ダビングを最初からやり直さなければならないような場合もある。
従ってユーザーにとってダビングを中断して文字入力を修正するといったことは好ましくなく、このように入力しようとするタイトル名が途中で切れてメモリ上に登録された場合に、ユーザーが修正を行うことができるのは全プログラムのダビング終了後になってしまい、ユーザーにとってダビング作業等が効率的に実行できないものとなってしまう。
【０００６】
【課題を解決するための手段】
本発明はこのような問題点に鑑みて、プログラムに対応するタイトル名等の文字情報の入力をそのプログラムのダビングが終了する迄に終了しなかった場合には、ダビング動作を一時待機状態に制御することを目的とする。
このため本発明は、プログラムが記録されるプログラム領域と、プログラム領域に記録されているプログラムの管理情報を有する管理領域とから成る記録媒体に、プログラムを記録する記録装置において、記録されるプログラムに関連する文字情報を入力する文字入力手段と、記録されるプログラムが次のプログラムに変化したことを検知する検知手段と、検知手段にて次のプログラムへの変化が検出された時点で文字入力手段での文字情報の入力が終了したか否かを判別する判別手段と、判別手段にて文字情報の入力が終了してないときは記録動作を待機状態に制御するとともに次のプログラムの供給入力状態を待機状態にせしめる命令を発生させる制御手段を備えてなる記録装置を提供することにある。
【０００７】
更に本発明は、プログラムが記録されるプログラム領域とプログラム領域に記録されているプログラムの管理情報を有する管理領域とから成る記録媒体に、再生部から供給されるプログラムを記録する記録システムとして、記録されるプログラムに関連する文字情報を入力する文字入力手段と、再生部から供給されるプログラムの変化を検知する検知手段と、検知手段にてプログラム変化を検知した時点で文字入力手段での文字情報の入力が終了したか否かを判別する判別手段と、判別手段にて文字入力手段による文字情報の入力が終了してないときには記録動作を待機状態に制御するとともに次のプログラムの供給入力状態を待機状態にせしめる命令を発生させる制御手段を備えてなる記録システム提供することにある。
【０００８】
更にダビング方法として、再生装置から伝送されるプログラムの変化を検知する検知工程と、検知工程にて再生装置から伝送されるプログラムの変化を検知した場合、プログラムに対応する文字入力が終了済みか否かを判別する第１の判別工程と、第１の判別工程にてプログラムに対応する文字入力が終了していないと判別された場合には再生装置からの次に続くプログラムの伝送を待機状態に制御するとともに、記録動作を待機させる制御を行う制御工程と、再生装置からの次に続くプログラムの伝送の待機状態及び記録動作の待機状態である際に文字入力が終了したか否かを判別する第２の判別工程と、第２の判別工程にて文字入力が終了したと判別された場合、再生装置からの次に続くプログラムの伝送の待機状態及び記録動作の待機状態を伴に解除する工程とを備えてなるダビング方法を提供することにある。
【０００９】
即ち本発明は、文字入力に関するユーザーの操作が完了するまで、ダビング中のプログラムの進行を一時停止させる。もちろんその際にはシステム動作としてダビング動作が自動的に一時停止され、文字入力が終了した時点で、中断していたデータ位置から自動的にダビングが再開されるようにすることでユーザーに操作負担がかかることはない。
【００１０】
【発明の実施の形態】
以下、本発明の実施の形態としての例を図面を参照して説明する。本例では記録装置としてＭＤ（ミニディスク）レコーダをあげ、またＭＤレコーダでダビングを行う際にプログラムデータを供給する再生装置としてＣＤ（コンパクトディスク）プレーヤをあげる。
説明していくＭＤレコーダとＣＤプレーヤは別体の機器としてダビング時に接続されるものでもよいし、一体的に形成されるものであってもよい。
説明は次の順に行う。
１．ＭＤレコーダ
２．ＭＤトラックフォーマット
３．Ｕ−ＴＯＣ
４．ＣＤ−ＭＤダビングシステムの構成
５．ＣＤ−ＭＤダビング時の制御
【００１１】
１．ＭＤレコーダ
図１は本例のＭＤレコーダ１のブロック図である。
ＭＤレコーダ１は光磁気ディスク（ＭＤ）９０に対して音声データの記録及び再生動作が可能とされる。
【００１２】
光磁気ディスク９０はカートリッジ内に収納されて、カートリッジに設けられているシャッター機構を記録時又は再生時に開閉することで光学ピックアップ（光学ヘッド３）からの光を照射したり、磁気ヘッドからの磁界を印加することができるように構成されている。
光磁気ディスク９０はスピンドルモータ２によってCLV(線速度一定：constant liner velocity)に回転制御される。
【００１３】
光学ヘッド３は、磁気ヘッド６ａに対して、装填された光磁気ディスク９０を挟んで対向する位置に設けられている。この光学ヘッド３は対物レンズ３ａと２軸機構４と、図示しない半導体レーザ及び半導体レーザの出射光が上記光磁気ディスクの表面で反射して、その反射光を受光する受光部を有して構成されている。
２軸機構４は、対物レンズ３ａを光磁気ディスク９０に接離する方向に駆動するフォーカス用コイルと、対物レンズ３ａを光磁気ディスクの半径方向に駆動するトラッキング用コイルとを有している。
また、光学ヘッド３全体を光磁気ディスク９０の半径方向に大きく移動させるスレッド機構５を更に備えている。
【００１４】
光学ヘッド３内の受光部にて検知した反射光情報は、ＲＦアンプ７に供給され、電流−電圧変換された後、マトリクス演算処理が行われ、フォーカスエラー信号ＦＥ、トラッキングエラー信号ＴＥが生成されるとともにＲＦ信号も生成される。
再生信号であるＲＦ信号は、光磁気ディスク９０上に記録時より低いレーザパワーで光を照射した際に、反射光の磁気Kerr効果を利用して磁界ベクトルを検知して、検知した磁界ベクトルに基づいて生成されることになる。
【００１５】
ＲＦアンプ７で生成されたフォーカスエラー信号ＦＥ、トラッキングエラー信号ＴＥはサーボ回路９にて位相補償回路、利得調整をされたのちにドライブアンプ（図示せず）を介して２軸機構４のフォーカス用コイルと、トラッキング用コイルとに印加される。
さらにトラッキングエラー信号ＴＥからは、サーボ回路９内にてＬＰＦ（low pass filter）を介してスレッドエラー信号が生成され、スレッドドライブアンプ（図示せず）を介してスレッド機構５に印加される。
更にＲＦアンプ７にて生成されたＲＦ信号は、ＥＦＭ／ＣＩＲＣエンコーダ・デコーダ８にて、２値化されてＥＦＭ復調(eight to fourteen modulation )されるとともに、ＣＩＲＣ（cross interleave read solomon coding）エラー訂正処理が行なわれて、メモリコントローラー１２に供給される。
【００１６】
光磁気ディスク９０には予めグルーブ（溝）が所定周波数にて蛇行して（本例の場合は22.05KＨｚ）設けられており、ＦＭ変調にてアドレスデータが記録されている。
このアドレスデータはアドレスデコーダ１０にて所定周波数のみを通過するＢＰＦ（バンドパスフィルター）を介してＦＭ復調することで抽出される。
ＥＦＭ／ＣＩＲＣエンコーダ・デコーダ８では２値化したＥＦＭ信号もしくはアドレスデコーダ１０にて抽出されたアドレスデコーダに基づいてディスクを回転制御するためのスピンドルエラー信号を生成してサーボ回路９を介してスピンドルモーター２に印加する。
更にＥＦＭ／ＣＩＲＣエンコーダ・デコーダ８では２値化したＥＦＭ信号に基づいてＰＬＬ（Phase Locked loop）の引き込み動作を制御し、デコード処理のための再生クロックを生成させる。
【００１７】
メモリコントローラ１２によって、エラー訂正後の２値化データは１．４Ｍｂｉｔ／secの転送レートでバッファメモリ１３に書き込まれる。
メモリコントローラ１２は、バッファメモリ１３に所定量以上のデータが蓄積されたら、バッファメモリ１３から書き込みの転送レートより十分遅い０．３Ｍｂｉｔ／secの転送レートにて読み出しを行い、オーディオデータとしての出力に供する。
このようにバッファメモリ１３に一旦データを蓄えてからオーデイオデータとして出力するようにているため、例えば振動等の外乱に対して不要なトラックジャンプ等が生じて光学ヘッド３からの連続したデータ読み出しが途絶えたとしても、光学ヘッド３のトラックジャンプが発生したアドレスへの再配置に要する時間に相当するデータは予めバッファメモリ１３に蓄積されているので、オーデイオ出力の音声としては連続した（音のとぎれのない）出力が実現できる。
本例の場合、バッファメモリ１３として４ＭbyteのＲＡＭを用いた場合には、バッファメモリ１３にデータが満杯の状態で約１０秒のオーデイオデータが蓄えられる。
尚、メモリコントローラ１２はシステムコントローラ１１によって制御されている。
【００１８】
光磁気ディスク９０から読み出されたデータは記録時に所定の圧縮方法（本例では例えばATRAC (Acoustic transferred adapted coding )方式）にて圧縮が施されており、メモリコントローラ１２によってバッファメモリ１３から読み出されたデータは、オーデイオ圧縮エンコーダ・伸張デコーダ１４にて圧縮が解かれたデジタルデータとされ、Ｄ／Ａ変換器１５に印加される。
Ｄ／Ａ変換器１６ではオーデイオ圧縮エンコーダ・伸張デコーダ１４にて圧縮が解かれたデジタルデータをアナログオーデイオ信号に変換する。このアナログオーディオ信号は出力端子１６から図示しない再生出力系（アンプ及びスピーカ、ヘッドホン等）に供給され、再生音声として出力される。
【００１９】
このような再生動作時においては、システムコントローラ１１は、操作部１９の操作に応じて各種サーボ用のコマンドをサーボ回路９に転送したり、メモリコントローラ１２に対してバッファメモリ１３の制御の指令を与えたり、演奏経過時間や再生しているプログラムのタイトル等の文字情報の表示を表示部２０に実行させるように制御を行ったり、ＥＦＭ／ＣＩＲＣエンコーダ・デコーダ８でのスピンドルサーボ制御やデコード処理制御を行う。
また操作部１９とともにユーザーが各種操作を行うためにリモートコマンダー２９が用意され、例えば赤外線変調信号としてユーザーの操作に応じたコマンドを出力する。そのコマンド即ち操作情報は赤外線受光部２３によって電気信号に変換され、システムコントローラ１１に供給される。システムコントローラ１１は赤外線受光部２３からの操作情報にも対応して必要な制御処理を行う。
【００２０】
このＭＤレコーダ１において楽曲等の音声をディスク９０に記録する場合、その音声信号は入力端子１７もしくは入力端子２１に供給される。
例えばＣＤプレーヤ等の再生装置のアナログ出力端子から出力されたアナログオーディオ信号は入力端子１７に印加されてＡ／Ｄ変換器１８にてデジタル信号に変換され、オーデイオ圧縮エンコーダ・伸張デコーダ１４に供給される。
また、ＣＤプレーヤ等の再生装置のデジタル出力端子からデジタルデータ形態で伝送されてきたデジタルオーディオ信号は、入力端子２１に印加される。この場合デジタルインターフェース部２５でデジタル通信フォーマットに関するデコード、制御データ抽出等が行われ、デジタルオーディオ信号がオーデイオ圧縮エンコーダ・伸張デコーダ１４に供給される。
【００２１】
オーデイオ圧縮エンコーダ・伸張デコーダ１４に入力されたデジタルオーディオ信号はATRAC (Acoustic transferred adapted coding )方式にて圧縮エンコードが施され、圧縮されたデジタルオーディオ信号は転送レート０．３Ｍbit/secにてメモリコントローラ１２を介してバッファメモリ１３に一旦蓄積される。
メモリコントローラ１２はバッファメモリ１３に蓄積された圧縮されたデータが所定量蓄積されたことを検知してバッファメモリ１３からの読み出しを許可する。
【００２２】
バッファメモリ１３から読み出された圧縮データはＥＦＭ／ＣＩＲＣエンコーダ・デコーダ８にてＣＩＲＣ方式のエラー訂正符号付加、ＥＦＭ変調等の処理が施されて磁気ヘッド駆動回路６に印加される。
磁気ヘッド駆動回路６は供給されたデータに応じて磁気ヘッド６ａのＮ極又はＳ極の磁界印加駆動を行う。
またこのような磁界印加を行う記録時には、システムコントローラ１１は光学ヘッド３の図示しない半導体レーザの出射パワーを再生時のときよりも高パワーに制御して光磁気ディスクの表面をキューリー温度まで加熱するようにする。これにより磁気ヘッド６ａから印加された磁界情報がディスク記録面に固定されていくことになる。つまりデータが磁界情報として記録される。
【００２３】
記録時にもシステムコントローラ１１は、各種サーボ用のコマンドをサーボ回路９に転送したり、メモリコントローラ１２に対してバッファメモリ１３の制御の指令を与えたり、記録経過時間や記録しているプログラムのトラックナンバ等の表示を表示部２０に実行させるように制御を行ったり、ＥＦＭ／ＣＩＲＣエンコーダ・デコーダ８でのスピンドルサーボ制御やエンコード処理制御を行う。
またデジタルデータ入力に関する処理の場合は、デジタルインターフェース２５から、抽出された制御データの取り込みを行う。
アナログ信号入力に関する処理の場合は、入力端子１７からのアナログ音声信号は無音検知部２２にも供給され、入力音声信号としての曲と曲の間などの無音状況が監視される。この監視情報がシステムコントローラ１１に供給される。
【００２４】
このＭＤレコーダ１では、音声データの他に、その音声データとしての各プログラム（１曲、トラック）や、ディスク全体に対応する文字情報をディスク９０に記録することができる。
ユーザーが文字情報入力を行うために、操作部１９としては、例えばジョグダイヤルなどによる文字選択操作子と、入力した文字列を決定し、文字入力操作を終了させる決定キーが用意されている。
またリモートコマンダー２９を用いても文字入力を行うことができるように、リモートコマンダー２９には「Ａ］〜「Ｚ」のアルファベットキー、「・」「’」「．」「  」「？」などの記号キーなどが用意され、さらに数字入力のためのテンキーなども用意される。またこれらのキーを用いて入力した文字列を決定し、文字入力操作を終了させる決定キーも用意されている
【００２５】
システムコントローラ１１は、操作部１９やリモートコマンダー２９により入力された文字をＲＡＭ２４に保持していき、決定操作により文字列が決定されることで、その文字列を、そのとき選択されているプログラムに対応させた状態で登録する。
選択されているプログラムとは、そのとき再生・記録・一時停止などの状態とされているプログラムである。もしこのような状態でなく、プログラムが選択されていない状態の場合は、入力文字列はディスク全体に対応する文字情報と扱われる。
【００２６】
登録された文字情報は、後述するＵ−ＴＯＣセクター１のデータとしてディスク９０に書き込まれることでディスク９０上で確定することになる。Ｕ−ＴＯＣデータの更新は記録動作の後や文字入力動作の後において所定のタイミングで行われる。
【００２７】
本例では、ダビング記録中に文字入力を行う際の動作処理として後述する有用な処理が行われるものであるが、このときシステムコントローラ１１は、ダビングする音声信号のソースとなる機器（ＣＤプレーヤ等）に対する制御信号の送信も行う。このための制御データ等はＲＯＭ２７に記憶される。またＣＤプレーヤ等に対する制御信号の送信は端子２６から行われる。
【００２８】
２．ＭＤトラックフォーマット
ここで光磁気ディスク９０の記録データトラックのクラスタフォーマットについて説明する。
ミニディスクシステムにおける記録動作はクラスタという単位で行われるが、このクラスタのフォーマットは図４に示される。
ミニディスクシステムでの記録トラックとしては図５のようにクラスタＣＬが連続して形成されており、１クラスタが記録時の最小単位とされる。１クラスタは２〜３周回トラック分に相当する。
【００２９】
そして１クラスタＣＬは、セクターＳFC〜ＳFFとされる４セクターのサブデータ領域と、セクターＳ00〜Ｓ1Fとして示す３２セクターのメインデータ領域から形成されている。メインデータとは、オーデイオ用の場合は上記ＡＴＲＡＣ処理により圧縮されたオーデイオデータとなる。
１セクタは２３５２バイトで形成されるデータ単位である。
４セクターのサブデータ領域はサブデータやリンキングエリアとしてなどに用いられ、ＴＯＣデータ、オーディオデータ等の記録は３２セクターのメインデータ領域に行なわれる。リンキングエリアのセクターは、エラー訂正処理を施す際にＣＤ等で採用されている１セクター長(13.3msec)と比較して今回採用したＣＩＲＣのインターリーブ長が長いので、そのつじつまをあわせる為に設けられている捨てセクタであり、基本的にはリザーブエリアとされるが、これらのセクターは何らかの処理や何らかの制御データの記録に用いることも可能である。
なお、アドレスは１セクター毎に記録される。
【００３０】
また、セクターはさらにサウンドグループという単位に細分化され、２セクターが１１サウンドグループに分けられている。
つまり図示するように、セクターＳ00などの偶数セクターと、セクターＳ01などの奇数セクターの連続する２つのセクターに、サウンドグループＳＧ00〜ＳＧ0Aが含まれる状態となっている。１つのサウンドグループは４２４バイトで形成されており、11.61msec の時間に相当する音声データ量となる。
１つのサウンドグループＳＧ内にはデータがＬチャンネルとＲチャンネルに分けられて記録される。例えばサウンドグループＳＧ00はＬチャンネルデータＬ０とＲチャンネルデータＲ０で構成され、またサウンドグループＳＧ01はＬチャンネルデータＬ１とＲチャンネルデータＲ１で構成される。
なお、Ｌチャンネル又はＲチャンネルのデータ領域となる２１２バイトをサウンドフレームとよんでいる。
【００３１】
３．Ｕ−ＴＯＣ
光磁気ディスク９０には、図４のようなクラスタフォーマットが全領域にわたって形成されるが、半径方向に分割されるエリアとして最内周側が管理領域とされ、その管理領域に続いてプログラム領域が形成される。
なお、ディスク最内周側は位相ピットにより再生専用データが記録される再生専用領域が設けられ、その再生専用領域に続いて光磁気記録再生可能な光磁気領域が形成される。上記管理領域は、再生専用領域と、光磁気領域の最内周部分となる。
【００３２】
光磁気領域の管理領域に続いてプログラム領域が形成されるが、そのプログラム領域においては、上記図４のメインデータ領域としての各セクターにオーディオデータが記録されていく。
一方、管理領域として、再生専用領域にはディスク全体のエリア管理等を行うＰ−ＴＯＣ（プリマスタードＴＯＣ）が設けられ、それに続く光磁気領域での管理領域に、プログラム領域に記録された各プログラム（楽曲等）を管理する目録情報（Ｕ−ＴＯＣ：所謂user table of contents）が記録される。
【００３３】
ディスク９０に対して記録／再生動作を行なう際には、ディスク９０に記録されている管理情報、即ちＰ−ＴＯＣ、Ｕ−ＴＯＣを読み出す必要がある。システムコントローラ１１はこれらの管理情報に応じてディスク９０上の記録すべきエリアのアドレスや、再生すべきエリアのアドレスを判別することとなる。この管理情報はバッファメモリ１３に保持される。このためバッファメモリ１３は、上記した記録データ／再生データのバッファエリアと、これら管理情報を保持するエリアが分割設定されている。
そして、システムコントローラ１１はこれらの管理情報を、ディスク９０が装填された際に管理情報の記録されたディスクの最内周側の再生動作を実行させることによって読み出し、バッファメモリ１３に記憶しておき、以後そのディスク１に対する記録／再生動作の際に参照できるようにしている。
【００３４】
また、Ｕ−ＴＯＣはデータの記録や消去、さらには文字情報入力等の編集操作に応じて書き換えられるものであるが、システムコントローラ１１は記録／消去／編集動作のたびにバッファメモリ１３に記憶されたＵ−ＴＯＣ情報に対して更新処理を行ない、その更新動作に応じて所定のタイミングでディスク９０のＵ−ＴＯＣエリアについても書き換えるようにしている。
【００３５】
ここで、ディスク１においてトラック（楽曲等）の記録／再生動作などの管理を行なう管理情報として、Ｕ−ＴＯＣセクターについて説明する。
図５はＵ−ＴＯＣセクター０のフォーマットを示すものである。
なお、Ｕ−ＴＯＣセクターとしてはセクター０〜セクター３１まで設けることができる。つまり管理領域における１クラスタの各セクター（Ｓ00〜Ｓ1F）を用いることができる。そしてセクター１，セクター４は文字情報、セクター２は録音日時を記録するエリアとされる。
Ｕ−ＴＯＣセクター０は、主にユーザーが録音を行なった楽曲や新たに楽曲が録音可能なフリーエリアについての管理情報が記録されているデータ領域とされる。即ちセクター０ではプログラム領域に記録されている各プログラムの起点（スタートアドレス）、終点（エンドアドレス）や、各プログラムの性格（トラックモード）としてのコピープロテクト情報、エンファシス情報等が管理されている。
【００３６】
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００３７】
図５に示すようにＵ−ＴＯＣセクター０には、１２バイトでシンクパターンが形成されるヘッダ部に続いて、当該セクターのアドレスとして３バイトのデータ（「Cluster H」「Cluster L」「SECTOR」）と、ディスクの製造元を示すメーカコード（「maker code」）とモデルコード（「model code」）、最初のプログラム番号（「First TNO」）、最後のプログラム番号（「Last TNO」）、セクター使用状況（「used sectors」）、ディスクシリアル番号（「disc serial No」）、ディスクＩＤ等が記録されている。
【００３８】
更にディスク上に生じた欠陥位置情報を格納するスロットの先頭位置を示すポインタP-DFA（Pointer for defective area）と、スロットの使用状況を示すポインタP-EMPTY（pointer for Empty slot）、記録可能領域を管理するスロットの先頭位置を示すポインタP-FRA（Pointer for Freely area）、各プログラム番号に対応したスロットの先頭位置を各々示すポインタP-TNO1,P-TNO2,.............,P-TNO255から構成される対応テーブル指示データ部が記録されている。
【００３９】
続いて各８バイトのスロットが２５５個設けられている管理テーブル部が設けられる。各スロットにはスタートアドレス、エンドアドレス、トラックモード、リンク情報が管理されている。
本例の光磁気ディスク９０は、記録媒体上にデータを必ずしも連続した形態で記録しなくてもよく、シーケンシャルなデータ列を記録媒体上で離散して（複数のパーツとして）記録してもいいことになっている（なおパーツとは時間的に連続したデータが物理的に連続したクラスタに記録されている部分を指す）。
【００４０】
すなわちディスク９０に適応される再生装置（図１のＭＤレコーダ１）では上述のようにデータを一旦バッファメモリ１３に蓄積することと、バッファメモリ１３への書込レートと読出レートを変えるようにしたので、光学ヘッド３をディスク９０上に離散的に記録されたデータに順次アクセスさせてはバッファメモリ１３にデータを蓄積させることで、バッファメモリ１３上ではシーケンシャルなデータ列に復元して再生することができる。
このように構成しても再生時のバッファメモリ１３への書込レートを読出レートより早くしているので連続した音声再生が妨げられる事はない。
【００４１】
また、既に記録済みのプログラムの上に記録済みのプログラムより短いプログラムを上書きしても、余った部分を消去することなく記録可能領域（ポインタP-FRAから管理される領域）として指定することで効率よく記録容量を使用することができる。
【００４２】
記録可能領域を管理するポインタＰ−ＦＲＡの例を用いて離散的に存在するエリアの結合方法について図６を用いて説明する。
記録可能領域を管理するスロットの先頭位置を示すポインタP-FRAに例えば03h( hexia-decimal)という値が記録されたとすると、続いてこの「03h」に対応するスロットがアクセスされる。即ち管理テーブル部におけるスロット０３ｈのデータが読み込まれる。
スロット０３ｈに記録されているスタートアドレス及びエンドアドレスデータはディスク上に記録された１つのパーツの起点と終点を示す。
スロット０３ｈに記録されているリンク情報は次に続くべきスロットのアドレスを示しており、この場合は１８ｈが記録されている。
スロット１８ｈに記録されているリンク情報を次にたどってスロット２Ｂｈをアクセスしスロット２Ｂｈに記録されているスタートアドレス及びエンドアドレスとしてディスクの１つのパーツの起点と終点を把握する。
さらに同様にリンク情報として「００ｈ」のデータが現われる迄リンク情報をたどっていくことで、ポインタP-FRAから管理される全パーツのアドレスを把握できる。
【００４３】
このようにポインタP-FRA によって指示されるスロットを起点にリンク情報がnull（＝００ｈ）になるまでスロットを辿り、ディスク上に離散的に記録されたパーツをメモリ上でつなげることが可能となる。この場合、ディスク９０上の記録可能領域としての全パーツが把握できる。
この例ではポインタP-FRA を例に説明したがポインタP-DFA 、P-EMPTY 、P-TNO1,P-TNO2,.............,P-TNO255も同様に離散的に存在するパーツを結合して管理する。
【００４４】
続いて図７にＵ−ＴＯＣセクター１のフォーマットを示す。
Ｕ−ＴＯＣセクター１では、プログラム領域に記録されている各プログラムに対応する文字情報や、光磁気ディスク全体に対応する文字情報（例えばディスクタイトル）が管理されている。
ディスクタイトルとは、記録されるプログラムがオーデイオデータの場合はアルバムタイトル、演奏者名等の情報になり、各プログラムに対応する文字情報とは例えば曲名などとなる。これらの文字情報はユーザーが任意に文字を設定して入力し、登録されるものである。
各プログラム毎の文字情報は、対応テーブル指示データのポインタP-TNA(x)（ｘは１から２５５)によって指示される文字テーブル内のスロットに記録されている。１つのスロットには７バイトの文字情報が記録できるが、文字数が多い場合はリンク情報を用いて複数のスロットを連結して記録を行うことができる。
【００４５】
なお、更にＵ−ＴＯＣセクター２ではプログラム領域に記録されている各プログラム毎の記録日時が同様な形態で管理されている。
また、Ｕ−ＴＯＣセクター４に関してはプログラム領域に記録されている各プログラムのタイトル、光磁気ディスク全体のタイトル等の文字情報のフォントとしてカタカナ、漢字が使用できるように図７と同様な形態で管理が行われる。
【００４６】
４．ＣＤ−ＭＤダビングシステムの構成
図２にＣＤ−ＭＤダビングシステムの構成を示す。なお、ＭＤレコーダ１は図１の全体に相当するが、一部のブロックのみを示している。また図１で説明済みの部位については重複説明を避ける。
このダビングシステムはＣＤプレーヤ３０で再生されたプログラムをＭＤレコーダ１でディスク９０に記録していくことができるようにするものである。
ＣＤプレーヤ３０とＭＤレコーダ１は、それぞれ別体とされ、ケーブル等により信号送受信ができるような形態としてもよいし、１つの機器内にＣＤプレーヤ３０としての部位とＭＤレコーダ１としての部位を有する複合機器としてもよい。
【００４７】
再生装置側としてのＣＤプレーヤ３０では、光ディスク９１（コンパクトディスク）はスピンドルモータ３２によってCLV(線速度一定：constant liner velocity)に回転制御される。
光学ヘッド３３は、対物レンズ３３ａ、２軸機構３４の他、図示しない半導体レーザ、半導体レーザの出射光が上記光ディスクの表面で反射してその反射光を受光する受光部を有する。
２軸機構３４は、対物レンズ３３ａを光ディスク９１に接離する方向に駆動するフォーカス用コイルと、対物レンズ３３ａを光ディスク９１の半径方向に駆動するトラッキング用コイルとで形成されている。
また光学ヘッド３３全体は、スレッド機構３５により光ディスク９１の半径方向に大きく移動可能とされる。
光学ヘッド３３内の受光部にて検知した反射光情報はＲＦアンプ３６に供給され、電流−電圧変換された後、マトリクス演算処理が行われ、フォーカスエラー信号ＦＥ、トラッキングエラー信号ＴＥが生成されるとともにＲＦ信号も生成される。
再生信号であるＲＦ信号は、ディスク９１上にレーザ光を照射した際の光量情報として抽出される。
【００４８】
ＲＦアンプ３６で生成されたフォーカスエラー信号ＦＥ、トラッキングエラー信号ＴＥはサーボ回路３７にて位相補償、利得調整をされたのちにドライブアンプ（図示せず）を介して２軸機構３４のフォーカス用コイルと、トラッキング用コイルとに印加される。
さらにトラッキングエラー信号ＴＥからは、サーボ回路３７内にてＬＰＦ（low pass filter）を介してスレッドエラー信号が生成され、スレッドドライブアンプ（図示せず）を介してスレッド機構３５に印加される。
更にＲＦアンプ３６にて生成されたＲＦ信号は、信号処理回路３８にて、２値化、ＥＦＭ復調、ＣＩＲＣエラー訂正処理が行なわれて、再生データとしてのデジタルオーディオ信号が抽出される。
また信号処理回路３８では２値化したＥＦＭ信号に基づいてディスクを回転制御するためのスピンドルエラー信号を生成してスピンドルモーター３２に印加する。
更に信号処理回路３８では２値化したＥＦＭ信号に基づいてＰＬＬ（Phase Locked loop）の引き込み動作を制御し再生クロックを発生させる。
またサーボ回路３７、信号処理回路３８はシステムコントローラ４１にて制御されている。
【００４９】
信号処理回路３８から出力されるデジタルオーディオ信号はＤ／Ａ変換器３９でアナログオーディオ信号に変換される。そして出力端子４３からＭＤレコーダ１の入力端子１７に送信される。
又は、信号処理回路３８から出力されるデジタルオーディオ信号はデジタルインターフェース部４０で送信のために制御コードやエラー訂正コード等を付加したフォーマットとされ、出力端子４２からＭＤレコーダ１の入力端子２１にデジタルデータ形態で送信される。伝送には例えば光通信ケーブルが用いられ、光信号でデジタルデータが送信されることになる。
【００５０】
ダビング動作時には、記録装置側となるＭＤレコーダ１ではＣＤプレーヤ３０から送信されてきたデジタルオーディオ信号もしくはアナログオーディオ信号に対してディスク９０に記録していく処理を行う。
アナログ伝送され入力端子１７に供給されたアナログオーディオ信号をディスク９０に記録する場合は、図１で説明したように、そのアナログオーディオ信号はＡ／Ｄ変換器１８でデジタルオーディオ信号に変換され、オーデイオ圧縮／伸張エンコーダ・デコーダ１４に入力される。そして図１で説明した記録処理が行われる。
この場合、入力端子１７に供給されたアナログオーディオ信号は無音検知部２２にも供給され、オーディオレベルとしての所定時間（例えば２秒程度）以上の無音状態の検出が行われる。この検出信号は、供給されたアナログオーディオ信号のプログラムの変化（曲と曲の間）を示す情報としてシステムコントローラ１１に供給される。
通常のＣＤには、曲と曲の間に３〜５秒程度の無音部が設けられているが、無音検知部２２はこのような無音部分を検出することで、プログラム番号の変化とするものである。
【００５１】
一方、デジタル伝送データが入力端子２１に供給された場合は、デジタルインターフェース部２５において処理が行われる。
即ち、Ｕビット抽出部２５ｂでは光伝送されたデジタル信号からプログラムの変化（曲の変化）を示すフラグであるＵビットデータが抽出される。また光伝送されたデジタル信号から再生経過時間を抽出するタイムコード抽出部２５ａによりタイムコードデータが抽出される。
さらに、Ｕビット抽出部２５ｂとタイムコード抽出部２５ａの出力の論理演算を行う論理回路４１が備えられている。論理回路２５ｃは、Ｕビット抽出部２５ｂと、タイムコード抽出部２５ａの出力から、再生側から伝送されるデジタルオーデイオ信号のプログラムの変化を示す信号を生成し、システムコントローラ１１に供給する。
送信されてくるデジタルデータからはプログラム毎の演奏経過時間がタイムコード抽出部２５ａで抽出されるが、論理回路４１は、演奏経過時間が−００分０１秒になったこととＵビットの変化情報との論理演算をとってプログラム変化の検出信号を生成する。
なお、Ｕビット抽出部２５ｂでの検出結果のみを用いてプログラム変化の検出信号を生成してもよいし、アナログ記録と同じように無音検知を行って、Ｕビットの変化情報との論理演算をとってもよい。
【００５２】
送信されてきたデジタルオーディオ信号については、デジタルインターフェース部２５からオーデイオ圧縮／伸張エンコーダ・デコーダ１４に入力され、図１で説明した記録処理が行われる。
【００５３】
なお、ダビング記録中などにユーザーが文字入力を行った場合は、その入力された文字コードはＲＡＭ２４にプログラムナンバと対応づけられて記憶される。また、ＲＯＭ２７には再生側をとなるＣＤプレーヤ３０を制御するためのコマンドが予め蓄えられている。
【００５４】
５．ＣＤ−ＭＤダビング時の制御
ユーザは上記ダビングシステムでディスク９１の再生オーデイオ信号をディスク９０にダビングする際に、各プログラムに応じてタイトル等の文字入力を行うことで効率的なダビング作業ができる。
このようにダビング中に文字入力が行われる際のシステムコントローラ１１の処理を図３で説明する。
【００５５】
基本的にダビング中には、入力された文字データは、そのときダビングが行われているプログラムに対応する文字情報と扱われ、従って従来の装置では、そのプログラム（楽曲）のダビングが終わるまでに、そのプログラムの曲名等の文字情報を入力し終わらなければならないものであったが、本例では、短い曲であったり、入力文字数が多いなどの事情で、曲のダビングが終わるまでに文字入力が完了しなくても不都合がないようにするものである。
【００５６】
図３のステップＦ１０１においてＣＤ（ディスク９１）からＭＤ（ディスク９０）へのダビングが指示されると、ＣＤプレーヤ３０からＭＤレコーダ１のアナログ入力端子１７若しくはデジタル入力端子２１にオーデイオ信号が供給される。
システムコントローラ１１はステップＦ１０２において、無音検知部２２もしくはデジタルインターフェース部２５から供給される信号により、ダビングするプログラム番号が変化したか否かを監視している。
【００５７】
ステップＦ１０２にてプログラム番号の変化を検知できたら、次にステップＦ１０３にて文字入力手段（即ちリモートコマンダー２９もしくは操作部１９）を用いた文字入力が既に終了したか否かを判別する。
なお、そのときダビングを終了したプログラムについて、ダビング中に文字入力が開始されなかった場合（ユーザーが文字入力を実行しなかった場合）は、ステップＦ１０３では肯定結果となりステップＦ１０７に進む。
【００５８】
ステップＦ１０３の、文字入力が終了したか否かは、例えばリモートコマンダー２９もしくは操作部１９に設けられている決定キーが操作済みか否かを判別して判断する。
これによってプログラム番号が変化する直前に、ダビングを行っているプログラムに対応するタイトル入力等の文字入力が終了しているのか否かが判別できる。
【００５９】
ステップＦ１０３にて文字入力手段を用いた文字入力が既に終了していると判別された場合は、ダビングするプログラムが最終プログラムであるか否かの判別をステップＦ１０７にて行い、ダビングするプログラムが最終プログラムであった場合はステップＦ１０８で記録動作を停止するコマンドをシステムコントローラから発生して各種サーボ回路を停止させて記録動作を終了させる（ステップＦ１０９）。
一方ステップＦ１０７にてダビングするプログラムが最終プログラムで無いと判断された場合は、再度ステップＦ１０２に戻り、ダビングするプログラム番号の変化を監視することになる。
【００６０】
ステップＦ１０３にて文字入力手段を用いた文字入力が未だ終了して無いと判別された場合は、システムコントローラ１１はステップＦ１０４にてディスク９１からのオーデイオ出力を一旦待機状態に制御するコマンドを発生して、システムコントローラ４１に送信する。これに応じてシステムコントローラ４１は、ＣＤプレーヤ３０の動作を再生待機状態にする。
またシステムコントローラ１１は、ＭＤレコーダ１側の記録制御も待機状態に制御するサーボ回路９、メモリコントローラ１２等に対して必要なコマンドを発生する。
【００６１】
このように、再生側のプログラム番号は変更になっても再生待機状態に制御することで次プログラムの先頭で再生待機でき、更に記録側の記録動作も待機状態に制御されるので、その間にユーザーは文字入力を続行することができる。
【００６２】
ステップＦ１０４でＣＤプレーヤ３０からのオーデイオ出力及びＭＤレコーダ１側の記録動作を待機状態に制御したら、次にユーザーによる文字入力が終了したか否かをステップＦ１０５にて判別する。この判別は、ユーザーが決定キー操作を行ったか否かによるものとすればよい。
ステップＦ１０５にて文字入力が終了したと判断された場合は、ステップＦ１０６にてシステムコントローラ１１は、ＭＤレコーダ１側の記録待機状態を解除するために所要のコマンドを発生するとともに、ＣＤプレーヤ３０からのオーデイオ出力の待機状態を解除するためのコマンドを発生させ、システムコントローラ４１に送信する。
この処理によって次のプログラムからのダビング動作が再開される。図３の処理はステップＦ１０３、Ｆ１０７を介してステップＦ１０２に戻る。
なお、このときステップＦ１０７で、ＣＤの次のプログラムの再生がない（ダビング終了）と判断された場合は、ステップＦ１０８，Ｆ１０９でダビング動作を終了させる。
【００６３】
以上のように本例では、例えばダビング中に、あるプログラムに関する文字入力がすむ前にそのプログラムのダビングが終了してしまっても、次のプログラムのダビング動作が自動的に待機されることになるため、ユーザーは焦ることなく文字入力を行うことができる。
このため短い曲の文字入力や長い文字列の入力の実行を記録動作中に行うことの不都合はなくなり、また文字入力が不慣れなユーザーであっても記録動作中の文字入力が容易にできるものとなる。
【００６４】
なお本発明としては、上記例に限らず、その構成や処理方式は各種の例が考えられる。
例えば記録側から再生側に転送する再生待機状態を指示するコマンドや再生待機状態解除を指示するコマンドは赤外線等を使って遠隔制御してもかまわない。また、図２の例ではデジタル通信インターフェースフォーマットでの伝送例を示したが、記録側と再生側が一体型の機器とする場合、デジタル通信フォーマットに沿った送信を行う必要はない。場合によってはシステムコントローラ１１，４１が１つのマイクロコンピュータで形成される場合もある。
【００６５】
【発明の効果】
以上説明したように本発明では、プログラムのダビングを行う最中にプログラムに対応したタイトル等の文字情報を入力する場合、文字入力中にダビングしているプログラムが次のプログラムに変化したとしても、文字入力が終了していなければダビング動作を少なくとも待機状態に制御するため、ユーザーはそのまま文字入力を続行することができ、プログラムに対応したタイトル名を確実に記録することができるという効果がある。
また、このダビング動作の一時待機や、待機の解除は自動的に行われるため、ユーザーに操作負担をかけることもない。
【図面の簡単な説明】
【図１】本発明の実施の形態のＭＤレコーダのブロック図である。
【図２】実施の形態のダビングシステムのブロック図である。
【図３】実施の形態のダビング時の制御例のフローチャートである。
【図４】ミニディスクシステムのクラスタフォーマットの説明図である。
【図５】ミニディスクシステムのＵ−ＴＯＣセクター０の説明図である。
【図６】ミニディスクシステムのＵ−ＴＯＣセクター０のリンク形態の説明図である。
【図７】ミニディスクシステムのＵ−ＴＯＣセクター１の説明図である。
【符号の説明】
１  ＭＤレコーダ、３，３３  光学ヘッド、６ａ  磁気ヘッド、８  ＥＦＭ／ＣＩＲＣエンコーダ・デコーダ、９，３７  サーボ回路、１１，４１  システムコントローラ、１２  メモリコントローラ、１３  バッファＲＡＭ、１４  オーディオ圧縮／伸長エンコーダ・デコーダ、１７，２１  入力端子、１８  Ａ／Ｄ変換器、１９  操作部、２０  表示部、２２  無音検知部、２３  受光部、２４ＲＡＭ、２５，４０  デジタルインターフェース部、２７  ＲＯＭ、２９  リモートコマンダー、３０  ＣＤプレーヤ、３８  信号処理部、９０  光磁気ディスク、９１  光ディスク
【図１】
0003750278.tif 000002
【図２】
0003750278.tif 000003
【図３】
0003750278.tif 000004
【図４】
0003750278.tif 000005
【図５】
0003750278.tif 000006
【図６】
0003750278.tif 000007
【図７】
0003750278.tif 000008